【手続補正書】
【提出日】平成21年3月18日(2009.3.18)
【手続補正１】
【補正対象書類名】明細書
【補正対象項目名】特許請求の範囲
【補正方法】変更
【補正の内容】
【特許請求の範囲】
【請求項１】 パケット交換セルラー無線システムにおいて移動局（ＭＳ）のためにセル変更を実行する方法であって、
第１基地局（ＢＴＳｏｌｄ）のセルから第２基地局（ＢＴＳｎｅｗ）のセルへのセル変更を行うことを前記移動局（ＭＳ）が必要としているという知識を確立するステップと、
このセル変更を実行する時点として、来るべき第１時点（２０９）を固定するために、前記第１基地局（ＢＴＳｏｌｄ）を介して前記移動局へメッセージ（２０７，３０９，４１０）を伝送するステップと、
前記第１時点（２０９）以後、前記第２基地局のセルへのアクセスを前記移動局に提供するステップとを含み、前記メッセージは、前記第１時点と同一であるフレーム番号を表示するか、前記移動局が前記メッセージを受信するときに関する一定の遅延を指示するか、又は前記第１時点は前記移動局が前記メッセージを受信するときであることを表示するかのいずれかであることを特徴とする方法。
【請求項２】  前記移動局（ＭＳ）がセル変更を実行することを必要としているという知識を確立するステップは、前記移動局（ＭＳ）から要求メッセージ（２０３）を受信するステップを含み、前記要求メッセージ（２０３）は、前記移動局（ＭＳ）が進んでセル変更を実行することを示唆することを特徴とする請求項１に記載の方法。
【請求項３】 前記移動局からの品質報告（２０２）を受信するステップを更に含んでおり、前記移動局（ＭＳ）がセル変更を実行することを必要としているという知識を確立する前記ステップは、受信された品質報告に基づく、前記移動局（ＭＳ）のためにセル変更を実行する必要があることを示す所見（２０４）に対する応答として行われることを特徴とする請求項１に記載の方法。
【請求項４】 前記第２基地局（ＢＴＳｎｅｗ）の動作を制御するステップと、
前記移動局（ＭＳ）がセル変更を実行することを必要としているという知識を確立する前記ステップの後に、前記第２基地局（ＢＴＳｎｅｗ）で前記移動局（ＭＳ）のために一定量の無線資源を割り当てるステップと、をさらに含むことを特徴とする請求項１に記載の方法。
【請求項５】 前記第２基地局（ＢＴＳｎｅｗ）で前記移動局（ＭＳ）のための一定量の無線資源を割り当てるステップを含んでおり、前記一定量の無線資源は前記移動局（ＭＳ）と前記パケット交換セルラー無線システムとの間に完全データ伝送接続が必要であることに対応し、
前記移動局（ＭＳ）にタイミング進み情報を伝えるために前記第２基地局（ＢＴＳｎｅｗ）の一定量の無線資源を割り当てるステップを含んでおり、
前記タイミング進み情報（２１４）を前記移動局（ＭＳ）に提供することにより前記第２基地局（ＢＴＳｎｅｗ）のセルへの前記移動局（ＭＳ）のアクセス（２１０，２１１，２１２，２１３）に応答するステップを含んでおり、
その直後に、前記第２基地局（ＢＴＳｎｅｗ）を介して前記移動局（ＭＳ）と前記パケット交換セルラー無線システムとの間の完全データ伝送接続（２１５）の利用を開始するステップを含むことを特徴とする請求項４に記載の方法。
【請求項６】 前記第２基地局（ＢＴＳｎｅｗ）で前記移動局（ＭＳ）のための一定量の無線資源を割り当てるステップを含んでおり、前記一定量の無線資源は前記移動局（ＭＳ）と制御ユニット（ＰＣＵ）との間の限られた容量の接続に対応し、
前記第２基地局（ＢＴＳｎｅｗ）のセルへの前記移動局（ＭＳ）のアクセス（２１０’，２１１’，２１２’，２１３’）に対する応答として、前記第２基地局（ＢＴＳｎｅｗ）で前記移動局（ＭＳ）のための一定のより大きな量の無線資源を割り当てるステップを含んでおり、前記一定のより大きな量の無線資源は前記移動局（ＭＳ）と前記パケット交換セルラー無線システムとの間に完全データ伝送接続が必要であることに対応し、
前記移動局（ＭＳ）に関するタイミング進み情報（２１４’，２１４”）を前記第２基地局（ＢＴＳｎｅｗ）に供給し、且つそこから前記移動局（ＭＳ）に供給するステップを含んでおり、
前記第２基地局（ＢＴＳｎｅｗ）を介して前記移動局（ＭＳ）と前記パケット交換セルラー無線システムとの間の完全データ伝送接続（２１５）の利用を開始するステップを含むことを特徴とする請求項４に記載の方法。
【請求項７】 制御ユニットが前記第１基地局（ＢＴＳｏｌｄ）の動作を制御する第１制御ユニット（ＰＣＵｏｌｄ）である構成において、前記パケット交換セルラーネットワークは、更に、
前記第２基地局（ＢＴＳｎｅｗ）の動作を制御する第２制御ユニット（ＰＣＵｎｅｗ）と、
前記第１制御ユニット（ＰＣＵｏｌｄ）と前記第２制御ユニット（ＰＣＵｎｅｗ）との両方を含む領域を伴うルート割当及び場所情報維持ユニット（ＳＧＳＮ）とを含んでおり、
前記移動局（ＭＳ）がセル変更の実行を必要としているという知識を前記制御ユニット（ＰＣＵ、ＰＣＵｏｌｄ）で確立するステップの後に、
前記第１制御ユニット（ＰＣＵｏｌｄ）から第１セル変更要求（３０１）を前記ルート割当及び場所情報維持ユニット（ＳＧＳＮ）に送るステップと、
前記第１セル変更要求（３０１）に対応する第２セル変更要求（３０３）を前記ルート割当及び場所情報維持ユニット（ＳＧＳＮ）から前記第２制御ユニット（ＰＣＵｎｅｗ）に送るステップと、
前記第２制御ユニット（ＰＣＵｎｅｗ）において、前記移動局（ＭＳ）のための前記第２基地局（ＢＴＳｎｅｗ）の一定量の無線資源を割り当てるステップとが行われることを特徴とする請求項１に記載の方法。
【請求項８】 前記第２セル変更要求（３０３）の受信に対する応答として、前記第２制御ユニット（ＰＣＵｎｅｗ）により前記移動局（ＭＳ）のための前記第２基地局（ＢＴＳｎｅｗ）の一定量の無線資源を割り当てるステップを含んでおり、前記一定量の無線資源は、前記移動局（ＭＳ）と前記パケット交換セルラー無線システムとの間に完全データ伝送接続が必要であることに対応し、
前記第２制御ユニット（ＰＣＵ）により、タイミング進み情報を前記移動局（ＭＳ）に送るために前記第２基地局（ＢＴＳｎｅｗ）の一定量の無線資源を割り当てるステップを含んでおり、
前記タイミング進み情報を前記移動局（ＭＳ）に供給することにより前記第２基地局（ＢＴＳｎｅｗ）のセルへの前記移動局（ＭＳ）のアクセスに応答するステップを含んでおり、
その直後に、前記第２基地局（ＢＴＳｎｅｗ）を介して前記移動局（ＭＳ）と前記パケット交換セルラー無線システムとの間の完全データ伝送接続の利用を開始するステップを含むことを特徴とする請求項７に記載の方法。
【請求項９】 前記第２セル変更要求（３０３）の受信に対する応答として、前記第２制御ユニット（ＰＣＵｎｅｗ）により、前記第２基地局（ＢＴＳｎｅｗ）の前記移動局（ＭＳ）のための一定量の第１無線資源を割り当てるステップを含んでおり、前記一定量の第１無線資源は前記移動局（ＭＳ）と前記第２制御ユニット（ＰＣＵｎｅｗ）との間の限られた容量の接続に対応し、
前記第２基地局（ＢＴＳｎｅｗ）のセルへの前記移動局（ＭＳ）のアクセスに応答して、前記第２制御ユニット（ＰＣＵｎｅｗ）によって前記第２基地局（ＢＴＳｎｅｗ）の前記移動局（ＭＳ）のための一定のより大きな量の無線資源を割り当てるステップを含んでおり、前記より大きな量の第２無線資源は前記移動局（ＭＳ）と前記パケット交換セルラー無線システムとの間に完全データ伝送接続が必要であることに対応し、
前記移動局（ＭＳ）に関するタイミング進み情報を前記第２基地局（ＢＴＳｎｅｗ）に供給し、且つそこから前記移動局（ＭＳ）に供給するステップを含んでおり、
前記第２基地局（ＢＴＳｎｅｗ）を介して前記移動局（ＭＳ）と前記パケット交換セルラー無線システムとの間の完全データ伝送接続の利用を開始するステップを含むことを特徴とする請求項７に記載の方法。
【請求項１０】 制御ユニットが前記第１基地局（ＢＴＳｏｌｄ）の動作を制御する第１制御ユニット（ＰＣＵｏｌｄ）である構成において、前記パケット交換セルラーネットワークは、更に、
前記第２基地局（ＢＴＳｎｅｗ）の動作を制御する第２制御ユニット（ＰＣＵｎｅｗ）と、
前記第１制御ユニット（ＰＣＵｏｌｄ）を含む領域を伴う第１ルート割当及び場所情報維持ユニット（ＳＧＳＮｏｌｄ）と、
前記第２制御ユニット（ＰＣＵｎｅｗ）を含む領域を伴う第２ルート割当及び場所情報維持ユニット（ＳＧＳＮｎｅｗ）とを含んでおり、
前記移動局（ＭＳ）がセル変更の実行を必要としているという知識を前記制御ユニット（ＰＣＵｏｌｄ）で確立するステップの後に、
前記第１制御ユニット（ＰＣＵｏｌｄ）から前記第１ルート割当及び場所情報維持ユニット（ＳＧＳＮｏｌｄ）に第１セル変更要求（３０１）を送るステップと、
前記第１ルート割当及び場所情報維持ユニット（ＳＧＳＮｏｌｄ）から前記第２ルート割当及び場所情報維持ユニット（ＳＧＳＮｎｅｗ）に、前記第１セル変更要求（３０１）に対応するネットワーク・レベル・セル変更要求（４０２）を送るステップと、
前記ネットワーク・レベル・セル変更要求（４０２）に対応する第２セル変更要求（４０４）を前記第２ルート割当及び場所情報維持ユニット（ＳＧＳＮｎｅｗ）から前記第２制御ユニット（ＰＣＵｎｅｗ）に送るステップと、
前記第２制御ユニット（ＰＣＵｎｅｗ）において、前記第２基地局（ＢＴＳｎｅｗ）の前記移動局（ＭＳ）のための一定量の無線資源を割り当てるステップとを含むことを特徴とする請求項１に記載の方法。
【請求項１１】  前記移動局が前記メッセージを受信するときに関する前記一定の遅延は、前記移動局（ＭＳ）の一定のカウントダウン・タイマーによって供給されることを特徴とする請求項１に記載の方法。
【請求項１２】  前記第１時点（２０９）後に一定の時間にわたって前記第１基地局（ＢＴＳｏｌｄ）における前記移動局（ＭＳ）のための無線資源割り当てを維持するステップをさらに含むことを特徴とする請求項１に記載の方法。
【請求項１３】  前記第１時点（２０９）後に所定タイムリミットが満了するまで前記第１基地局（ＢＴＳｏｌｄ）における前記移動局（ＭＳ）のための無線資源割り当てを維持するステップを含むことを特徴とする請求項１２に記載の方法。
【請求項１４】  前記移動局（ＭＳ）が前記第２基地局（ＢＴＳｎｅｗ）のセルへ首尾良く変更するまで、前記第１基地局（ＢＴＳｏｌｄ）における前記移動局（ＭＳ）のための無線資源割り当てを維持するステップを含むことを特徴とする請求項１２に記載の方法。
【請求項１５】 前記第２基地局（ＢＴＳｎｅｗ）の動作が制御され、前記移動局（ＭＳ）が前記第２基地局（ＢＴＳｎｅｗ）のセルへ首尾良く変更したことを発見するステップは、前記移動局（ＭＳ）と前記パケット交換セルラー無線システムとの間でデータの通常の伝送に関連するバーストが前記新基地局（ＢＴＳｎｅｗ）を介して流れていることを観測することにより達成されることを特徴とする請求項１４に記載の方法。
【請求項１６】  前記制御ユニットが前記第１基地局（ＢＴＳｏｌｄ）の動作を制御する第１制御ユニット（ＰＣＵｏｌｄ）であり、前記パケット交換セルラーネットワークが更に前記第２基地局（ＢＴＳｎｅｗ）の動作を制御する第２制御ユニット（ＰＣＵｎｅｗ）も含んでいる構成において、前記移動局（ＭＳ）が前記第２基地局（ＢＴＳｎｅｗ）のセルへ首尾良く変更したことを前記第１制御ユニット（ＰＣＵｏｌｄ）により発見するステップは、前記第２制御ユニット（ＰＣＵｎｅｗ）からのメッセージを前記第１制御ユニット（ＰＣＵｏｌｄ）により受信することにより達成されることを特徴とする請求項１４に記載の方法。
【請求項１７】  前記第１時点（２０９）から所定タイムリミットが満了するまで、又は、前記移動局（ＭＳ）が首尾良く前記第２基地局（ＢＴＳｎｅｗ）のセルに変更したことが発見されるまで、これらの事象のうちのいずれが先に生じても、前記第１基地局（ＢＴＳｏｌｄ）の前記移動局（ＭＳ）のための無線資源割当を維持するステップを含んでいることを特徴とする請求項１２に記載の方法。
【請求項１８】  パケット交換セルラー無線システムの移動局（ＭＳ）でセル変更を実行する方法であって、
第１基地局（ＢＴＳｏｌｄ）を介して前記パケット交換セルラー無線システムの制御ユニット（ＰＣＵ、ＰＣＵｏｌｄ）からメッセージ（２０７，３０９，４１０）を受け取り、
前記メッセージ（２０７，３０９，４１０）の受信の後、前記メッセージ（２０７，３０９，４１０）においてセル変更実行時点として確定されている第１時点（２０９）まで、前記第１基地局（ＢＴＳｏｌｄ）との現存するパケット交換通信接続の利用を続け、
前記第１時点（２０９）以降は第２基地局（ＢＴＳｎｅｗ）のセルにアクセス（２１０，２１１，２１２，２１３，２１０’，２１１’，２１２’，２１３’）するステップを含み、前記メッセージは、前記第１時点と同一であるフレーム番号を表示するか、前記移動局が前記メッセージを受信するときに関する一定の遅延を指示するか、又は前記第１時点は前記移動局が前記メッセージを受信するときであることを表示するかのいずれかであることを特徴とする方法。
【請求項１９】 パケット交換セルラー無線システムにおいて移動局（ＭＳ）のためのセル変更を実行するための装置であって、
前記移動局（ＭＳ）が第１基地局（ＢＴＳｏｌｄ）のセルから第２基地局（ＢＴＳｎｅｗ）のセルへとセル変更を行う必要があるという知識を確立するための手段を含んでおり、
来るべき第１時点（２０９）を前記セル変更実行時点として固定するために前記第１基地局（ＢＴＳｏｌｄ）を介して前記移動局（ＭＳ）へ向けてメッセージ（２０７，３０９，４１０）を送るための手段を含んでおり、前記メッセージは、前記第１時点と同一であるフレーム番号を表示するか、前記移動局が前記メッセージを受信するときに関する一定の遅延を指示するか、又は前記第１時点は前記移動局が前記メッセージを受信するときであることを表示するかのいずれかであり、
前記第１時点以降は前記第２基地局（ＢＴＳｎｅｗ）のセルへのアクセスを前記移動局に提供するための手段を含むことを特徴とする装置。
【請求項２０】  パケット交換セルラー無線システムにおいて移動局（ＭＳ）のためのセル変更を実行するための装置において、
セル変更を実行する時点として、来るべき第１時点（２０９）を固定するよう構成され、第１基地局（ＢＴＳｏｌｄ）を介して前記移動局（ＭＳ）へ向けてメッセージ（２０７，３０９，４１０）を送るための手段を含み、前記メッセージは、前記第１時点と同一であるフレーム番号を表示するか、前記移動局が前記メッセージを受信するときに関する一定の遅延を指示するか、又は前記第１時点は前記移動局が前記メッセージを受信するときであることを表示するかのいずれかであることを特徴とする装置。
【請求項２１】パケット交換セルラー無線システムにおける装置において、
第１基地局（ＢＴＳｏｌｄ）を介して前記パケット交換セルラー無線システムの制御ユニット（ＰＣＵ、ＰＣＵｏｌｄ）からメッセージを受け取る手段と、
前記メッセージ（２０７，３０９，４１０）の受信の後、前記メッセージ（２０７，３０９，４１０）においてセル変更実行時点として確定されている第１時点（２０９）まで、前記第１基地局（ＢＴＳｏｌｄ）との現存するパケット交換通信接続の利用を続ける手段と、
前記第１時点（２０９）以降は第２基地局（ＢＴＳｎｅｗ）のセルにアクセスする手段とを含み、前記メッセージは、前記第１時点と同一であるフレーム番号を表示するか、移動局が前記メッセージを受信するときに関する一定の遅延を指示するか、又は前記第１時点は前記移動局が前記メッセージを受信するときであることを表示するかのいずれかであることを特徴とする装置。
【請求項２２】パケット交換セルラー無線システムにおいて移動局（ＭＳ）のためにセル変更を実行する装置において、
第２基地局（ＢＴＳｎｅｗ）のセルへのセル変更を実行する時点として、来るべき第１時点（２０９）を固定するよう構成され、前記パケット交換セルラー無線システムの制御ユニット（ＰＣＵ、ＰＣＵｏｌｄ）からメッセージ（２０７，３０９，４１０）を受け取るための手段を含み、前記メッセージは、前記第１時点と同一であるフレーム番号を表示するか、前記移動局が前記メッセージを受信するときに関する一定の遅延を指示するか、又は前記第１時点は前記移動局が前記メッセージを受信するときであることを表示するかのいずれかであり、
前記メッセージ（２０７，３０９，４１０）を前記移動局（ＭＳ）へ送るための手段を含むことを特徴とする装置。
【手続補正２】
【補正対象書類名】明細書
【補正対象項目名】００１２
【補正方法】変更
【補正の内容】
【００１２】
本発明のパケット交換セルラー無線システムにおいて移動局のためにセル変更を実行する方法は、その特徴として、第１基地局のセルから第２基地局のセルへのセル変更を行うことを前記移動局が必要としているという知識を確立するステップと、セル変更を実行する時点として来るべき第１時点を固定するために前記第１基地局を介して前記移動局にメッセージを伝送するステップと、前記第１時点以後に前記第２基地局のセルへのアクセスを前記移動局に提供するステップとを含んでいる。前記メッセージは、前記第１時点と同一であるフレーム番号を表示するか、前記移動局が前記メッセージを受信するときに関する一定の遅延を指示するか、又は前記第１時点は前記移動局が前記メッセージを受信するときであることを表示するかのいずれかである。
【手続補正３】
【補正対象書類名】明細書
【補正対象項目名】００１３
【補正方法】変更
【補正の内容】
【００１３】
更に、本発明は、パケット交換セルラー無線システムの移動局でセル変更を実行する方法にも適用される。本発明のこの面は、その特徴として、第１基地局を介して前記パケット交換セルラー無線システムの制御ユニットからメッセージを受信し、前記メッセージの受信後、前記メッセージにおいてセル変更を実行する時点として確定されている第１時点まで前記第１基地局との現存するパケット交換通信接続の利用を続け、前記第１時点以降は第２基地局のセルにアクセスするステップを含んでいる。前記メッセージは、前記第１時点と同一であるフレーム番号を表示するか、前記移動局が前記メッセージを受信するときに関する一定の遅延を指示するか、又は前記第１時点は前記移動局が前記メッセージを受信するときであることを表示するかのいずれかである。
【手続補正４】
【補正対象書類名】明細書
【補正対象項目名】００１４
【補正方法】変更
【補正の内容】
【００１４】
本発明は、パケット交換セルラー無線システムにおける移動局のためのセル変更を実行するための装置にも適用される。その装置は、その特徴として、前記移動局が第１基地局のセルから第２基地局のセルへとセル変更をする必要があるという知識を確立するための手段を含んでおり、来るべき第１時点を前記セル変更を実行する時点として固定するために前記第１基地局を介して前記移動局へ第１メッセージを伝送するための手段を含んでおり、前記メッセージは、前記第１時点と同一であるフレーム番号を表示するか、前記移動局が前記メッセージを受信するときに関する一定の遅延を指示するか、又は前記第１時点は前記移動局が前記メッセ時を受信するときであることを表示するかのいずれかであり、前記第１時点以降は前記第２基地局のセルへのアクセスを前記移動局に提供するための手段を含んでいる。